(57)【要約】      （修正有）【課題】イオン風を強くして集塵効率が強く十分な除菌・殺菌・消臭・集塵効果を有するコロナ放電式空気清浄装置を提供する。【解決手段】空気吸引口を有しチタンで形成された上面部を含むケース本体と、該ケース本体の上面部に形成された複数のスリット状孔部あるいは格子状孔部の排気孔により構成されたプラス電極であって、該プラス電極は約１．５ｍｍの厚さを有するプラス電極と、該排気孔の周囲の該上面部からケース本体の内部に垂設されプラスに帯電する筒状の集塵板７と、該格子状プラス電極に対抗させた複数のマイナス電極のステンレス製針状電極であって、該複数の針状電極の先端部がプラス電極とを対向させられた複数の針状電極１１と、直流低圧電圧を受け直流高圧電圧を発生し該複数の針状電極に直流高圧電圧を印加する直流高圧電流ユニットとからなり、プラス電極を約１．５ｍｍの厚さとした。【選択図】図４
0003216454.tif 000002
【実用新案登録請求の範囲】
【請求項１】
空気吸引口を有しチタンで形成された上面部を含むケース本体と、
該ケース本体の上面部に形成された複数のスリット状孔部あるいは格子状孔部の排気孔により構成されたプラス電極であって、該プラス電極は約１．５ｍｍの厚さを有するプラス電極と、
該排気孔の周囲の該上面部からケース本体の内部に垂設されプラスに帯電する筒状の集塵板と、
該格子状プラス電極に対抗させた複数のマイナス電極のステンレス製針状電極であって、該複数の針状電極の先端部がプラス電極とを対向させられた複数の針状電極と、
直流低圧電圧を受け直流高圧電圧を発生し該複数の針状電極に直流高圧電圧を印加する直流高圧電流ユニットとからなる、コロナ放電式空気清浄装置であって、
プラス電極と該複数の針状電極との間に直流高電圧を印加することによりマイナス電極とプラス電極との間にコロナ放電を生じオゾンとイオンを発生しプラス電極へ向かってマイナスイオン風を形成し、周囲の空気をケース本体内で該排気孔に向かって巻き込み、空気中に含まれる微細な粉塵をプラスに帯電した集塵板に付着させつつ殺菌・消臭を行う空気清浄装置。
【考案の詳細な説明】
【技術分野】
【０００１】
本考案は、イオン風・オゾンを発生させるコロナ放電式空気清浄装置に関し、除菌・殺菌・消臭・集塵するコロナ放電式空気清浄装置に関する。
【背景技術】
【０００２】
従来、コロナ放電によりイオン及びオゾンを発生させゴミ等の対象物を殺菌・消臭する装置があり、対象物の配される空間とは別空間でコロナ放電を行い、発生したイオン及びオゾンを対象物の空間に送給し、殺菌・消臭する装置がある。
【０００３】
しかしながら、従来のコロナ放電式の殺菌・消臭装置ではコロナ放電を利用して空気を清浄化することは出来るが、イオン風が弱く、塵を帯電して集塵を行う能力も十分ではないのが実情である。
【先行技術文献】
【特許文献】
【０００４】
【特許文献１】特開２０１７ー２１７５７２
【考案の概要】
【考案が解決しようとする課題】
【０００５】
本考案は、イオン風を強くして集塵効率が強く十分な除菌・殺菌・消臭・集塵効果を有するコロナ放電式空気清浄装置を提供することを目的とする。
【課題を解決するための手段】
【０００６】
本考案は、上記課題を達成するため、以下の殺菌・消臭・集塵用コロナ放電式空気清浄装置を提供する。
本考案に係る殺菌・消臭・集塵用コロナ放電式空気清浄装置は、
空気吸引口を有しチタンで形成された上面部を含むケース本体と、
該ケース本体の上面部に形成された複数のスリット状孔部あるいは格子状孔部の排気孔により構成されたプラス電極であって、該プラス電極は約１．５ｍｍの厚さを有するプラス電極と、
該排気孔の周囲の該上面部からケース本体の内部に垂設されプラスに帯電する筒状の集塵板と、
該格子状プラス電極に対抗させた複数のマイナス電極のステンレス製針状電極であって、該複数の針状電極の先端部がプラス電極とを対向させられた複数の針状電極と、
直流低圧電圧を受け直流高圧電圧を発生し該複数の針状電極に直流高圧電圧を印加する直流高圧電流ユニットとからなる、コロナ放電式空気清浄装置であって、
プラス電極と該複数の針状電極との間に直流高電圧を印加することによりマイナス電極とプラス電極との間にコロナ放電を生じオゾンとイオンを発生しプラス電極へ向かってマイナスイオン風を形成し、周囲の空気をケース本体内で該排気孔に向かって巻き込み、空気中に含まれる微細な粉塵をプラスに帯電した集塵板に付着させつつ殺菌・消臭・集塵を行う放電式空気清浄装置。
【考案の効果】
【０００７】
本考案に係る殺菌・消臭・集塵用コロナ放電式空気清浄装置によれば、例えば７ＫＶ−８ＫＶの高電圧を印加してスリット状のチタン製プラス電極と針状電極との間にコロナ放電とオゾンを発生しプラス電極へ向かって強いマイナスイオン風を形成し、、排気孔の周囲に配置したプラスに帯電した筒状の集塵板によりマイナスに帯電した粒子を効率的に集塵するとともに、効率的にイオン流を排気孔へ導き、殺菌・消臭することを可能とする。
【図面の簡単な説明】
【０００８】
【図１】本考案に係るコロナ放電式空気清浄装置の斜視図である。
【図２】複数のスリット状孔部あるいは格子状孔部の排気孔により構成されたプラス電極を有するコロナ放電式空気清浄装置のケース本体の上面部を示す。
【図３】本考案に係るコロナ放電式空気清浄装置の側面図である。
【図４】本考案に係るコロナ放電式空気清浄装置の内部構造を示す模式図である。
【図５】ケース本体内部に配置され上面に針状電極を立設するための針状電極取付板を示す図である。
【図６】針状電極取付板の下面に形成され上面に立設した針状電極に導通する導電性パターンである。
【図７】ゼラチンフィルタの生菌数測定結果を示す。
【図８】自然減衰の場合の浮遊粒子数の測定結果を示す。
【図９】検体作動の場合の浮遊粒子数の測定結果を示す。
【図１０】Ｃｒｙｊｌ濃度測定結果を示す。
【図１１】自然減衰の場合の測定中の浮遊粒子数の測定結果を示す。
【図１２】検体作動の場合の測定中の浮遊粒子数の測定結果を示す。
【図１３】アンモニアについての試験結果を示す。
【図１４】硫化水素についての試験結果を示す。
【図１５】タバコ粉塵除去性能試験結果を示す。
【考案を実施するための形態】
【０００９】
以下に、本考案を実施するための形態を図面を参照して説明する。これらの実施態様は本考案を説明するための例示であり、本考案をそれらの実施態様に限定して解釈してはならない。請求項に定義する考案に入るものは、特に矛盾がなければ全て本考案に属する。
【００１０】
図１は、本考案の一実施態様に係る殺菌・消臭・集塵用コロナ放電式空気清浄装置１を示す。空気清浄装置１は正方体形状を有し、上面部４に複数の平行な６本のスリット２を有する円形の排気孔３からなるプラス電極を設け、上面部４の外周は正方形状の４つの側面で囲われている。側面５−１、５−２の上方部には３列の吸気口６が設けられ、側面５−１の下方部には空気清浄装置をＯＮ／ＯＦＦするスイッチＳＷが設けられている。図１及び図３参照。本実施態様では空気清浄装置本体を正方体形状としたが、上面部４に複数の平行なスリット状の円形の排気孔３を設けることが出来るのであれば、空気清浄装置本体の形状は正方体形状に限らない。空気清浄装置本体を別体のカバーで覆う場合には本体強度に支障がでなければ、１つあるいは２つの側面を省略することも可能である。
【００１１】
本考案に係る殺菌・消臭・集塵用コロナ放電式空気清浄装置では、プラス電極の厚さを好ましくは１．５ｍｍとすることにより、後述のイオン風を強くすることができ、効率的に集塵、殺菌・消毒を行うことが可能となる。また、オゾン酸化による劣化を防止するため、空気清浄装置本体の少なくとも上面部、好ましくは空気清浄装置本体全体をチタンから形成する。
【００１２】
図２は、複数の平行な６本の長短のスリット２からなる円形の排気孔３をほぼ中央に設けた上面部４を示す。本考案のコロナ放電式空気清浄装置では、複数の平行なスリットに代えて、タテ及びヨコに格子状とした格子形状の排気孔としてもよい。図４に示すように排気孔の周囲にからケース本体の内部に筒状の集塵板７が垂設され、集塵板はプラスに帯電しマイナスイオンに帯電した花粉等の微粒子を集塵できるようになっている。詳細には図示していないが、上面部４は空気清浄装置本体からビス等で取り外し可能となっており、筒状の集塵板７も上面部４から取り外し可能となっており集塵した花粉等の塵粒子を除去できるようになっている。
【００１３】
図４は、コロナ放電式空気清浄装置の内部構造を示し、図５は針状電極取付板８の上面であり、図６は針状電極取付板８の上面に均等に配置した２１個の針状電極取付位置９に導通する導電性パターン１０である。図４に示すように、針状電極取付板８の針状電極取付位置９には針状電極１１の基部が半田等によって固定され、先端部は筒状の集塵板７の内方に延び上面部４円形の排気孔３と所望の距離で対向させられており、針状電極取付板８は空気清浄装置１の底板に支持脚１２によって支持されている。
【００１４】
図４において、１３は外部電源端子、１４は１００Ｖの交流電圧を１２Ｖ程度の直流電圧に変えるアダプターであり、１５は１２Ｖ等の直流電圧を７ＫＶ−８ＫＶの高圧電圧に変える変圧器であり、高圧電圧は導電性パターン１０を介して針状電極取付位置９の針状電極１１に印加される。
該複数の針状マイナス電極と排気孔からなるプラス電極との間に高電圧を印加することによって、ケース本体の排気孔と該複数の針状電極の先端部との間にコロナ放電を発生し、イオン及びオゾンを発生させるとともにプラス電極へ向かってマイナスイオン風を形成し、周囲の空気をケース本体内で該排気孔に向かって巻き込み、空気中に含まれる微細な粉塵をプラス電極の集塵板に付着させ、殺菌・消毒することが可能となっている。
【実施例】
【００１５】
本考案に係る以下のコロナ放電式空気清浄装置について、下記の空気清浄性能試験を行った。２、３、４については、一般財団法人日本食品分析センター彩都研究所（大阪府茨木彩都あさぎ７町目４番４１号）において実施された。
１．浮遊細菌に対する除去性能評価試験（表皮ブドウ球菌）
２．花粉除去性能評価試験
３．脱臭効果試験（アンモニア及び硫化水素）
【００１６】
検体（試験した本考案に係るコロナ放電式空気清浄装置）
１．コロナ放電式空気清浄装置
（１）ケース外寸  １０ｃｍｘ１０ｃｍｘ１０ｃｍ立法形状
（２）ケース壁厚  １．５ｍｍ
（３）ケース材質  チタン
（４）円形排気孔  直径７０ｍｍの排気孔に均等間隔で設けられた
平行なスリット（スリット８ｍｍ幅、スリット間距離４ｍｍ）
（５）円筒状集塵板  直径７０ｍｍ、高さ１０ｍｍ
（６）針状マイナス電極２１本、排気孔に対応して等間隔に配置、
針状電極とプラス電極との距離８ｍｍ〜１０ｍｍ（図４参照）
（７）アダプター（交流電圧をＤＣ１２Ｖと変換）
（８）高圧変圧器（ＤＣ１２Ｖを高圧電７０００−８０００Ｖに変圧）
（９）針状電極用導電パターン（図６参照）
【００１７】
１．浮遊細菌に対する除去性能評価試験（ブドウ球菌）
（１）試験概要
一般社団法人日本電機工業会  ＪＥＭ１４６７  家庭用空気清浄機（２０１５年３月２５日改正）付属書Ｄ（規定）「浮遊ウイルスに対する除去性能評価試験」を参考にして試験を行った。ただし、試験微生物は以下に示す菌株を用い、培養条件を変更して実施した。Staphylococcus  epidermidis  NBRC  １２９９３（表皮ブドウ球菌）。測定条件を、表１に示し、測定開始時及び終了時の温湿度を表２に示す。
【表１】
0003216454.tif 000003
【００１８】
【表２】
0003216454.tif 000004
（２）測定結果
ゼラチンフィルタの生菌数測定結果を、図７に示し、自然減衰と検体作動の場合の浮遊粒子数の測定結果を図８と図９にそれぞれ示す。
図７，８，９から分かるように、ブドウ球菌の数は、自然減衰による減少に比較して、検体を作動させることによって大幅に減少することが分かり、本コロナ放電式空気清浄装置は空気中に浮遊する細菌（ブドウ球菌）に対する除去性能は非常に高いことが判明した。
【００１９】
２．花粉除去性能評価試験
（１）試験概要
一般社団法人日本電機工業会  ＪＥＭ１４６７  家庭用空気清浄機（２０１５年３月２５日改正）付属書Ｄ（規定）「浮遊ウイルスに対する除去性能評価試験」を参考にして試験を行った。ただし、試験対象物はスギ花粉抽出物を用い、試験条件を変更して実施した。試験条件を表３に示し、試験開始時及び終了時の温湿度を表４に示す。
【表３】
0003216454.tif 000005
【００２０】
【表４】
0003216454.tif 000006
（２）測定結果
Ｃｒｙｊｌ濃度測定結果を、図１０に示す。また、自然減衰と検体作動の場合の測定中の浮遊粒子数の測定結果を図１１と図１２にそれぞれ示す。
図１０，１１、１２から分かるように、浮遊花粉粒子の数は、自然減衰による減少に比較して、検体を作動させることによって大幅に減少することが分かり、本コロナ放電式空気清浄装置は空気中に浮遊する花粉粒子に対する除去性能は非常に高いことが判明した。
【００２１】
３．脱臭効果試験（アンモニア及び硫化水素）
（１）試験概要
検体についてアンモニア及び硫化水素の脱臭効果をガス検知管法により試験した。
（２）試験方法
ａ）試薬及び器具
デシケータ（約１０９Ｌ）［Ｆｉｎｅ］
アンモニア：アンモニア水（２８％、特級）（小宗化学薬品株式会社）
から発生させたガスを用いた。
硫化水素：硫化鉄（ＩＩ）（硫化水素発生用）（小宗化学薬品株式会
社）に希硫酸を加えて発生させたガスを用いた。
ガス検知管（株式会社  ガステック）
ｂ）操作
検体をかくはんファンとともにデシケータ（約１０９Ｌ）に入れ、かくはんファンを作動させ設定したガス濃度となるように試験対象ガスを添加した。かくはんファンを停止し、検体を作動させ、経過時間ごとにデシケータ内のガス濃度をガス検出管で測定した。また、検体を作動させずに同様な操作を行った。検体を入れずに同様な操作をしたものを空試験とした。試験条件を表５に示した。
【００２２】
【表５】
0003216454.tif 000007
（３）試験結果
アンモニアの試験結果を図１３に示し、硫化水素の試験結果を図１４に示す。
図１３から分かるように、アンモニア脱臭については検体を作動させることによってアンモニア除臭効果が高いことが分かり、図１４から硫化水素に対する除去性能は非常に高いことが判明した。
【００２３】
４．タバコ粉塵除去性能評価試験
タバコ粉塵除去性能評価試験を以下の通り行ない、
サイズ幅750×奥350×高300ｍｍの密封箱中に、タバコ１本を着火し完全燃焼するまで放置後測定開始し、3分毎にタバコ粉塵濃度を測定した。試験機として、柴田科学株式会社製「デジタル粉塵計  Ｐ−５Ｈ」を用いた。タバコ粉塵除去性能の試験結果データを図１５に示す。
タバコ粉塵除去性能の試験結果データから分かる通り、自然減衰させた場合３０分間タバコ粉塵濃度はほとんど低下しなかったのに対し、本考案に係る空気清浄装置を用いた場合には１２分後には非常に低レベルまでタバコ粉塵濃度が低下することが判明した。
【産業上の利用可能性】
【００２４】
本考案に係るコロナ放電式空気清浄装置は、浮遊細菌除去性能、花粉除去性能、脱臭効果（アンモニア及び硫化水素）、タバコ粉塵除去性能等の集塵・殺菌・消毒性能に優れているので、産業上利用可能性が大きい。
【符号の説明】
【００２５】
１・・・コロナ放電式空気清浄装置、２・・・スリット、３・・・排気孔（プラス電極）、４・・・上面部、５−１，５−２・・・側面、６・・・吸気口、７・・・集塵板、８・・・針状電極取付板、９・・・針状電極取付位置、１０・・・導電性パターン、１１・・・針状電極、１２・・・支持脚、１３・・・外部電源端子、１４・・・直流電圧アダプター、１５・・・変圧器、ＳＷ・・・ＯＮ／ＯＦＦスイッチ
【図１】
0003216454.tif 000008
【図２】
0003216454.tif 000009
【図３】
0003216454.tif 000010
【図４】
0003216454.tif 000011
【図５】
0003216454.tif 000012
【図６】
0003216454.tif 000013
【図７】
0003216454.tif 000014
【図８】
0003216454.tif 000015
【図９】
0003216454.tif 000016
【図１０】
0003216454.tif 000017
【図１１】
0003216454.tif 000018
【図１２】
0003216454.tif 000019
【図１３】
0003216454.tif 000020
【図１４】
0003216454.tif 000021
【図１５】
0003216454.tif 000022